(57)【要約】吸収体（５）を有する男性用吸収製品であって、その吸収体が製品の前区域（１１）から製品の股区域（１２）の方へ先細になり、かつ液密層（４）及び液体透過性層（３）からなる被覆に包囲され、それらの層の両方が吸収体を超えて吸収体のまわりに延び、かつそこで相互に接合される。吸収体（５）は製品使用中、製品の前記前区域（１１）から股区域（１２）の方向に延びるように配置され、かつその狭い端区域で使用者の陰茎の下にわずかに延びることを意図される。液体透過性層（３）上に、吸収体の狭い端区域において、液体バリヤー（１７）が適用され、それが使用者によって放出された尿が吸収体（５）の表面から使用者の股領域の方へ漏出することを防止するように配置される。
2005534362.tif 000002
【特許請求の範囲】
【請求項１】
吸収体（５）を含む男性用吸収製品であって、その吸収体が好ましくは製品の前区域（１１）から製品の股区域（１２）の方へ一端に向かって先細になり、かつ使用中使用者から離れて面する吸収体の側上の液密層（４）及び吸収体（５）のそれとは反対側上の液体透過性層（３）からなる被覆に包囲され、それらの層の両方が吸収体を超えて吸収体のまわりに延び、かつそこで相互に接合され、吸収体（５）が製品使用中、製品の前記前区域（１１）から股区域（１２）の方向に延びるように配置され、かつその狭い端区域で使用者の陰茎の下にわずかに延びることを意図される吸収製品において、液体透過性層（３）上に、吸収体の狭い端区域において、液体バリヤー（１７）が適用され、それが使用者によって放出された尿が吸収体（５）の表面から使用者の股領域の方へ漏出することを防止するように配置されることを特徴とする吸収製品。
【請求項２】
前記吸収製品がパンツと組み合わせて使用するために意図されたインサートによって構成されること、及びこの目的のために、製品が液密層（４）の外側上に一つ以上の固定部材を与えられ、その固定部材がパンツの内側の意図した場所に吸収製品を保持することを意図されることを特徴とする請求項１に記載の吸収製品。
【請求項３】
製品が全体として前区域（１１）、後区域（８）及び股区域（１２）を有するパンツ状形状を有し、前区域（１１）及び後区域（８）が使用者のウエストを包囲することを意図され、前及び／又は後区域がウエスト弾性体を与えられ、それが適用された製品を使用者上の適所に保持することを意図されることを特徴とする請求項１に記載の吸収製品。
【請求項４】
前区域（１１）が少なくとも一つの弾性部材（２０）を有し、その弾性部材（２０）が製品使用中、前区域の中央領域における前区域の上部限界縁（１９）が使用者の陰茎の下に位置される位置に、前記弾性部材（２０）の作用とは逆に、製品の前区域（１１）が引き下げられることができ、それと同時に前区域の二つの外側縁領域（１４０）における前区域の上部限界縁が使用者のウエストのまわりの適所に保持されるように配置されること、吸収体（５）が一つ以上の変形領域（１３０，１３１）を伴って構成され、その変形領域が製品使用中に使用者の陰茎の上に位置される吸収体の部分を製品の前区域（１１）が引き下げられるときに前区域の残りとともに引き下げることができること、及び製品の前区域及び吸収体（５）が弾性部材（２０）によってそれらの元の使用位置に戻るように配置されることを特徴とする請求項３に記載の吸収製品。
【請求項５】
前記ウエスト弾性体が弾性第一部分（１）から形成され、それが伸張状態において本質的に矩形であり、かつ使用者の胴を部分的に包囲してパンツ状製品の後区域（８）及び側区域（９，１０）を形成することを意図されること、製品に含まれる第二部分（２）がパンツ状製品の前区域（１１）及び股区域（１２）を形成するように構成されること、前記第二部分が二つの対向する端縁及び二つの対向する長手方向縁を伴って細長くされていること、第二部分（２）の幅が少なくとも股区域（１２）において第一部分（１）の長さより小さいこと、第二部分（２）の長手方向が第一部分（１）の長手方向に垂直に配置され、かつ第一端区域（６）によって第一部分の一つの長手方向縁区域（７）にこれの中央に接続されること、第一部分（１）の一つの端区域（１３）が第二部分の第一側縁区域（１４）に接続されること、及び第一部分の第二端区域（１５）が対応して第二部分（２）の第二側縁区域（１６）に接続され、吸収体（５）がその全体を第二部分上に適用されることを特徴とする請求項３又は４に記載の吸収製品。
【請求項６】
前記液体バリヤー（１７）が吸収体（５）の低い、狭い端区域の外形に従うように構成され、かつその全体を前記外形の内側に適用されることを特徴とする請求項１〜５のいずれかに記載の吸収製品。
【請求項７】
液体バリヤー（１７）が吸収体（５）の狭い端の近くで吸収体（５）に交差すること、及び液体バリヤーが前記端の方向に凸状であることを特徴とする請求項１〜５のいずれかに記載の吸収製品。
【請求項８】
液体バリヤー（１７）が吸収体（５）を超えて横方向に延び、かつ横方向において吸収製品の全体に及ぶことを特徴とする請求項７に記載の吸収製品。
【請求項９】
液体バリヤー（１７）が少なくとも製品使用中及び少なくとも横方向の吸収体（５）の中央の近くで少なくとも５ｍｍ、好ましくは１０−２０ｍｍの高さを有することを特徴とする請求項１〜８のいずれかに記載の吸収製品。
【請求項１０】
液体バリヤー（１７）が吸収製品の残りにその外側縁区域（１７０）に沿ってのみ固定されること、及び液体バリヤー（１７）の内側に位置される区域が製品使用中に液体透過性層（３）から持ち上げられるように配置されることを特徴とする請求項１〜９のいずれかに記載の吸収製品。
【請求項１１】
液体バリヤー（１７）が一つ以上のバンド形状材料から形成されたロールによって構成され、そのロールが曲げられて吸収体（５）の狭い端の方向に所望の凸状形状になることを特徴とする請求項１〜９のいずれかに記載の吸収製品。
【請求項１２】
液体バリヤー（１７）が一つ以上のバンド形状材料の多数の周囲折りたたみによって構成され、その液体バリヤーが前記折りたたみの形成後、折りたたみを形成する折りたたみ線（９３，９４）の方向に細長くされること、及び液体バリヤーが折りたたまれるか又は曲げられて所望の形状になることを特徴とする請求項１〜１０のいずれかに記載の吸収製品。
【請求項１３】
細長くされた液体バリヤー（１７）が長手方向に対して横方向の斜め線に沿って、例えば４５°の角度で中央において折りたたまれ、股区域に対してＶの先端を伴ってＶ形状液体バリヤーを形成することを特徴とする請求項１２に記載の吸収製品。
【請求項１４】
細長くされた液体バリヤー（１７）が適用された位置における液体バリヤーの下部限界縁から見ると鋭角（α）に沿って横方向の線に沿って二つの場所で折りたたまれ、股区域に対してＵの底部を有する本質的にＵ形状の液体バリヤーを形成し、前記鋭角が好ましくは４５°未満であることを特徴とする請求項１２に記載の吸収製品。
【請求項１５】
バンド形状材料が不織材料、好ましくは疎水性不織材料から、又は不織材料とプラスチックフィルムの積層体からなることを特徴とする請求項１１〜１４のいずれかに記載の吸収製品。
【請求項１６】
液体バリヤー（１７）が単一材料ストリップ、例えば疎水性不織材料によって構成され、それが適用される前に好適な形状に折りたたまれるか又は曲げられることを特徴とする請求項１０に記載の吸収製品。
【請求項１７】
液体バリヤー（１７）がその自由長手方向縁区域上で弾性糸（９１，９２，１００）の如き予め緊張された長手方向弾性要素を与えられ、その要素が製品使用中に液体バリヤーを持ち上げられた状態で保持することを意図されることを特徴とする請求項１２〜１６のいずれかに記載の吸収製品。
【請求項１８】
折りたたまれるか又は曲げられた状態で適用された液体バリヤー（１７）が製品使用中に前記折りたたまれるか又は曲げられた状態のそれ自身の内部剛性によってその自由長手方向縁区域を持ち上げられた状態で保持されるような大きさの内部剛性を有することを特徴とする請求項１２〜１６のいずれかに記載の吸収製品。
【請求項１９】
吸収体（５）が高吸収材料を混合されることができるセルロース毛羽から形成されること、及び液体バリヤー（１７）が成形物によって構成され、それがセルロース毛羽の如きエアレイ繊維から形成されること、及びこの成形物が吸収体（５）の狭い端区域の外形にこれの外側の上に又は直接に従うように適用されることを特徴とする請求項１〜９のいずれかに記載の吸収製品。
【請求項２０】
液体バリヤー（１７）が所望の形状に注型されるか又は折りたたまれたフォーム材料によって構成されることを特徴とする請求項１〜９のいずれかに記載の吸収製品。
【発明の詳細な説明】
【技術分野】
【０００１】
本発明は吸収体を含む男性用吸収製品であって、その吸収体が好ましくは製品の前区域から製品の股区域の方へ一端に向かって先細になり、かつ使用中使用者から離れて面する吸収体の側上の液密層及び吸収体のそれとは反対側上の液体透過性層からなる被覆に包囲され、それらの層の両方が吸収体を超えて吸収体のまわりに延び、かつそこで相互に接合され、吸収体が製品使用中、製品の前記前区域から股区域の方向に延びるように配置され、かつその狭い端区域で使用者の陰茎の下にわずかに延びることを意図される吸収製品に関する。
【背景技術】
【０００２】
実際には、従来のおむつはこれまで男性用失禁パッドとして一般に使用されている。従来のおむつの欠点はそれらが尿及び糞便の両方を吸収することを意図されること、及びそれらがそれゆえ尿収集パッドのみを必要とする男性のために適していないことである。従来のおむつは相対的に扱いにくく、厚くて幅広い吸収体を有し、その吸収体は使用時に全体として使用者の腹区域から股を通って使用者の背中に至るまで延びている。大きくふくらんでいるおむつは特に尿失禁を持つが障害者ではない男性にとってもちろん適していない。快適性と目立たないことの両方の理由のため、失禁症の男性のために意図された製品の必要性が大きい。
【０００３】
軽い失禁は大きな隠れた障害であり、それを多くの男性が患い、それは通常の活動的な生活に導く機会を強く制限する。これを患う男性の大部分は前立腺の問題を持つ人である。手術後、これらの男性は通常、点滴失禁（ｄｒｉｐ  ｉｎｃｏｎｔｉｎｅｎｃｅ）によって悩まされ、それは多大の苦しみを生じる。
【０００４】
軽い失禁を有する男性のための失禁パッドはそれ自体従来公知であるが、それらはあらゆる点で満足に作用しなかった。男性用の従来公知の失禁パッドの例は男性使用者の性器を受けるための容器状部分を持つタイプのパッドである。これらの根本的な欠点はそれらが暖かすぎると同時にそれらがぴったりと適合しすぎて使用者にとって不快なことである。このタイプのパッドのさらなる欠点はそれらが剛すぎ、摩擦を生じうることである。
【０００５】
スウェーデン特許明細書ＳＥ  ４５０８１１はパッドの使用時に使用者の陰茎及び陰嚢の上に適用される上部シールド状部分、及びパッドの使用時に陰茎及び陰嚢の下に内方にカーブしてこれらを全く包囲せず下方に先細になるカップ状形状を有する下部分からなる男性用失禁パッドを記載する。前記公報によるパッドは通気性があり、従来のおむつと比較すると相対的に快適である。容器状部分を有する上述の失禁パッドと違って、それは使用者の器官を包囲せず、代わりに通気性放尿ガードを形成する。下方に先細になるカップ状部分を有するパッドの構成は使用者の体へのパッドの良好な調整に加えて下方への放尿のためのガードも与える。
【０００６】
前記公報によるパッドは平坦なブランクから形成され、その一端は二つの別個の長手方向フラップを有する。パッドのカップ状下部分はカーブされ少し重ねられた配置で相互に接続された前記フラップによって得られる。
【０００７】
これらの従来公知の失禁パッドの欠点は製造方法が切断工程、折りたたみ工程、及び接続工程を伴って相対的に複雑なことである。別の欠点はパッドがかなり信頼性のある作用をするためには各使用者のための良好な適合性を有するべきであり、それはこのデザインでは、異なる使用者のサイズが当然かなり変化し、しかも満足のいく範囲のサイズを持つことが経済的にできないため、実際には達成できないことである。さらなる欠点はＳＥ  ４５０８１１による失禁パッドが底部で所望のカップ状形状をとることができるためには、パッドの材料の選択を制限することである。なぜならばこれは所望のカップ状形状をとって維持するためには相対的に高い剛性を有さなければならないからである。
【０００８】
男性用の従来公知の失禁パッドの別の例はＵＳ  ５４８６１６８に記載されている。このパッドは、製品の前区域から製品の股区域の方へ一端に向かって先細になり、かつ吸収体の一つの側上の液密層及び吸収体の反対の側上の液体透過性層からなる被覆に包囲される吸収体を持つ。それらの二つの層は吸収体を越えて延び、そこで相互に接続される。前述の公報による失禁パッドは弾性糸などを与えられ、それらは吸収体の両側の被覆に予め緊張を伴って適用され、かつ吸収体の狭い端区域の方に収束される。吸収体は吸収体の狭い端に近くなるほど横方向に直角に低い曲げ剛性を有し、弾性糸はそれゆえ狭い端に近くなるほど吸収体に増大したカーブを与えるだろう。弾性体及び先細の吸収体はパッドに底部でカップ状部分を与えるように相互作用し、そのカップ状部分はパッドの使用時に使用者の陰茎及び陰嚢の下で弧を描くことを意図される。
【０００９】
ＵＳ  ５４８６１６８による構成では、吸収体が意図したように弾性体と相互作用できる剛性を持つことが重要であり、それによって吸収体のための材料の選択を制限する。前述の特許公報によるデザインのさらなる欠点は吸収体の表面上の単位面積あたりの剛性の変化が吸収体から横方向に望ましくない折り目を生じ、それが次に製品から横方向に折り目に沿って尿漏出に導きうることである。別の欠点はＵＳ  ５４８６１６８による失禁パッドが圧縮された状態で包装することが難しいことである。なぜならば弾性体によって形成される三次元製品が包装取扱い時に又は包装保管時に破壊される危険性が高いからである。吸収体の弾性体からの緊張は外部の機械的影響と組み合わされて弾性体及び吸収体の両方が高い応力を受けることを生じる。
【００１０】
点滴失禁の如き軽い失禁を有する男性のための目立たず、快適で、効果的な失禁パッドに対する必要性が長い間大きい。あらゆる点で満足のいく製品は出現していない。尿漏出をおそれずに、しかも装着されるパッドが使用者の衣服の外側に見えたり又は認識されていると感じることなしに、通常の活動的な生活を送ることができる、もっと実際的な製品を必要とする軽い失禁を有する男性の大きな知られたグループが存在する。
【００１１】
失禁問題に対する世話を必要とせず、しかもその問題が前の手術とは関連しない男性の極めて大きなグループが存在することも知られている。このグループの大きさは知られていないが、ある国の研究は、軽い失禁が極めて広く行きわたった問題であること、及び効果的で、目立たず、しかも快適な製品の必要性が極めて大きいことを示す。
【発明の開示】
【００１２】
本発明の結果として、冒頭に述べられたタイプの製品が製造され、それによって上述の問題が完全に除去された。この目的のために、本発明による製品は液体透過性層上に、吸収体の狭い端区域において、液体バリヤーが適用され、それが使用者によって放出された尿が吸収体の表面から使用者の股区域の方へ漏出することを防止するように配置されることを主に特徴とする。
【００１３】
一例によれば、本発明は前記吸収製品がパンツと組み合わせて使用するために意図されたインサートによって構成されること、及びこの目的のために、製品が液密層の外側上に一つ以上の固定部材を与えられ、その固定部材がパンツの内側の意図した場所に吸収製品を保持することを意図されることを特徴とする。
【００１４】
別の例によれば、本発明は製品が全体として前区域、後区域及び股区域を有するパンツ状形状を有し、前区域及び後区域が使用者のウエストを包囲することを意図され、前及び／又は後区域がウエスト弾性体を与えられ、それが適用された製品を使用者上の適所に保持することを意図されることを特徴とする。
【００１５】
別の例によれば、本発明はこの場合において前区域が少なくとも一つの弾性部材を有し、その弾性部材が製品使用中、前区域の中央領域における前区域の上部限界縁が使用者の陰茎の下に位置される位置に、前記弾性部材の作用とは逆に、製品の前区域が引き下げられることができ、それと同時に前区域の二つの外側縁領域における前区域の上部限界縁が使用者のウエストのまわりの適所に保持されるように配置されること、吸収材料が一つ以上の変形領域を伴って構成され、その変形領域が製品使用中に使用者の陰茎の上に位置される吸収体の部分を製品の前区域が引き下げられるときに前区域の残りとともに引き下げることができること、及び製品の前区域及び吸収体が弾性部材によってそれらの元の使用位置に戻るように配置されることを特徴とする。
【００１６】
男性用の従来公知の失禁パッドでは、使用者は実際にはトイレに訪問できなかった。男性は小便所のトイレ訪問と関連して失禁パッド全体を引き下げ、それによって彼のまわりの者に私的で当惑する問題を現すことは当然考えられない。前述の例によるパッドによれば、この問題は除去された。
【００１７】
さらなる図示例によれば、本発明は前記ウエスト弾性体が弾性第一部分から形成され、それが伸張状態において本質的に矩形であり、かつ使用者の胴を部分的に包囲してパンツ状製品の後区域及び側区域を形成することを意図されること、製品に含まれる第二部分がパンツ状製品の前区域及び股区域を形成するように構成されること、前記第二部分が二つの対向する端縁及び二つの対向する長手方向縁を伴って細長くされていること、第二部分の幅が少なくとも股区域において第一部分の長さより小さいこと、第二部分の長手方向が第一部分の長手方向に垂直に配置され、かつ第一端区域によって第一部分の一つの長手方向縁区域にこれの中央に接続されること、第一部分の一つの端区域が第二部分の第一側縁区域に接続されること、及び第一部分の第二端区域が対応して第二部分の第二側縁区域に接続され、吸収体がその全体を第二部分上に適用されることを特徴とする。
【００１８】
後区域の全体が弾性であり、弾性側区域とともに単一の弾性連続第一部分を形成することによって、パンツは全体として体の動きに対して極めて良く反応する。局部的な乱れは連続弾性部分によって吸収され滑らかにされ、使用者の性器の前に直接位置される股区域及び前区域の弾性の少ない部分に伝達されない。従来のおむつ及び従来公知のパンツ形状吸収製品と比較すると、本発明による製品によって優れた適合性及び快適性が得られる。パンツ状衣料の大部分は全体的に平坦なままである。必要とされる継目は前区域と第一部分の間の移行部及び股区域における第一と第二部分の間の移行部に適用される。これらの継目は製品使用時に大きな圧力を受けない場所で終わり、パンツ状製品上の継目によって摩擦や圧力傷を生じる危険が少ない。
【００１９】
二つの部分片だけからなり、かつ吸収体が第二部分片上に全体的に置かれる本発明による吸収製品の構成は従来公知のパンツ形状製品と比較すると製造方法の選択の自由を増大する。吸収製品の異なる部分についての好適な材料を自由に選択する期待も単一片で構成される外部層で製造された従来のパンツ状吸収製品と比較すると実質的に増大される。
【００２０】
一つの例によれば、本発明は前記液体バリヤーが吸収体の低い、狭い端区域の外形に従うように構成され、かつその全体を前記外形の内側に適用されることを特徴とする。
【００２１】
別の例によれば、本発明は液体バリヤーが吸収体の狭い端の近くで吸収体に交差すること、及び液体バリヤーが前記端の方向に凸状であることを特徴とする。
【００２２】
さらなる例によれば、本発明は液体バリヤーが吸収体を超えて横方向に延び、かつ横方向において吸収製品の全体に及ぶことを特徴とする。この構成は液体バリヤーが実際の吸収体だけを交差するデザインと比較して製造の面からより簡単にすることができる。
【００２３】
別の例によれば、本発明は液体バリヤーが少なくとも製品使用中及び少なくとも横方向の吸収体の中央の近くで少なくとも５ｍｍ、好ましくは１０−２０ｍｍの高さを有することを特徴とする。液体バリヤーはそれゆえ本発明の範囲内では常に前記高さをとるか又は使用者が製品を着用するときに液体バリヤーが持ち上げられ、そうするときにそれを少し曲げるように構成されることができる。
【００２４】
一つの例によれば、本発明は液体バリヤーが吸収製品の残りにその外側縁区域に沿ってのみ固定されること、及び液体バリヤーの内側に位置される区域が製品使用中に液体透過性層から持ち上げられるように配置されることを特徴とする。
【００２５】
別の例によれば、本発明は液体バリヤーが一つ以上のバンド形状材料から形成されたロールによって構成され、そのロールが曲げられて吸収体の狭い端の方向に所望の凸状形状になることを特徴とする。
【００２６】
別の例によれば、本発明は液体バリヤーが一つ以上のバンド形状材料の多数の周囲折りたたみによって構成され、その液体バリヤーが前記折りたたみの形成後、折りたたみを形成する折りたたみ線の方向に細長くされること、及び液体バリヤーが折りたたまれるか又は曲げられて所望の形状になることを特徴とする。
【００２７】
一つの例によれば、本発明はこの場合において細長くされた液体バリヤーが長手方向に対して横方向の斜め線に沿って、例えば４５°の角度で中央において折りたたまれ、股区域に対してＶの先端を伴ってＶ形状液体バリヤーを形成することを特徴とする。
【００２８】
少し変更された例によれば、本発明は細長くされた液体バリヤーが適用された位置における液体バリヤーの下部限界縁から見ると鋭角に沿って横方向の線に沿って二つの場所で折りたたまれ、股区域に対してＵの底部を有する本質的にＵ形状の液体バリヤーを形成することを特徴とする。
【００２９】
一つの例によれば、本発明はバンド形状材料が不織材料、好ましくは疎水性不織材料から、又は不織材料とプラスチックフィルムの積層体によって構成されることを特徴とする。
【００３０】
別の例によれば、本発明は液体バリヤーが単一材料ストリップ、例えば疎水性不織材料によって構成され、それが適用される前に好適な形状に折りたたまれるか又は曲げられることを特徴とする。
【００３１】
さらなる例によれば、本発明は液体バリヤーがその自由長手方向縁区域上で弾性糸の如き予め緊張された長手方向弾性要素を与えられ、その要素が製品使用中に液体バリヤーを持ち上げられた状態で保持することを意図されることを特徴とする。
【００３２】
別の例によれば、本発明は折りたたまれるか又は曲げられた状態で適用された液体バリヤーが製品使用中に前記折りたたまれるか又は曲げられた状態のそれ自身の内部剛性によってその自由長手方向縁区域を持ち上げられた状態で保持されるような大きさの内部剛性を有することを特徴とする。
【００３３】
さらなる例によれば、本発明は吸収体が高吸収材料を混合されることができるセルロース毛羽から形成されること、及び液体バリヤーが成形物によって構成され、それがセルロース毛羽の如きエアレイ繊維から形成されること、及びこの成形物が吸収体の狭い端区域の外形にこれの外側の上に又は直接に従うように適用されることを特徴とする。
【００３４】
別の例によれば、本発明は液体バリヤーが所望の形状に注型されるか又は折りたたまれたフォーム材料によって構成されることを特徴とする。
【００３５】
図面の簡単な記述
本発明は添付図面に示された図示例を参照して以下により詳細に記載されるだろう。
図１は本発明の第一例による吸収製品の展開した状態を平坦な形で概略的に示す。
図２は第一例による組み立てられた製品を平坦な形で概略的に示す。
図３は本発明の第二例による吸収製品の展開した状態を平坦な形で概略的に示す。
図４は第二例による組み立てられた製品を平坦な形で概略的に示す。
図５は本発明による製品の第三例を平坦な形で示す。
図６は本発明による製品の第四例を平坦な形で示す。
図７は本発明による製品の第五例を平坦な形で示す。
図８は本発明による製品に含まれる液体バリヤーの図示例を概略的に示す。
図９ａ−９ｄは別の図示例による液体バリヤーの様々な展開した状態を示す。
図１０は本発明による製品の液体バリヤーの第三図示例を概略的に示す。
図１１は本発明による製品の液体バリヤーの第四図示例を概略的に示す。
図１２は使用状態の液体バリヤーのさらなる例を透視図で概略的に示す。
図１３は本発明による製品のさらなる例の展開した状態を概略的に示す。
図１４は図１３に示された例による組み立てられた製品を平坦な形で概略的に示す。
図１５は本発明による製品の別の例を平坦な形で概略的に示す。
【発明を実施するための最良の形態】
【００３６】
図１からわかるように、図１による例の製品は第一部分１を含む。この部分は弾性的に伸張可能であり、図１では平面で均一に伸張された状態で示されており、そこでは弾性部分１は本質的に矩形である。弾性第一部分１は織られた弾性材料、弾性不織布又は弾性フィルムの如き当業者に良く知られた従来の材料から作られることができる。重要な点は製品装着時に弾性部分が使用者に対して延伸可能であること、及びそれが製品の装着時に、使用者のまわりで好適な緊張度で密接に適合することである。緊張度はもちろんサイズ及び弾性伸張性によって調整される。
【００３７】
製品は第二部分２を含み、それは内部層３、外部層４、及びこれらの間に適用された吸収体５からなる。図１に示された例では、この吸収体は平面形態では本質的に三角形である。吸収体の材料の選択は重要ではないが、当業者に良く知られた材料又は材料組み合わせから選択されることができる。例えば、吸収体は粉末又は繊維の形の超吸収材料が混合されたセルロース毛羽から作られることができる。外部層４は例えば吸収製品のために従来使用されるタイプのポリエチレンフィルムからなることができる。外部繊維層と組み合わせた液密フィルムはもし織物状外観を有する吸収製品が求められるなら好適である。内部層３は液体透過性不織材料から作られることができる。外部層及び内部層は吸収体を越えた区域に延び、これらの区域において相互に接続される。第二部分２は細長く、第一部分１の長手方向に対して直角な長手方向を伴って配置されている。第二部分２は一つの端区域６によって、第一部分１の一つの長手方向縁区域７に、その中央に接続されている。接続は例えば接着剤、熱結合又は超音波結合によってなされることができる。
【００３８】
図１では、矢印Ａ及びＢは第一及び第二部分が図２及び３に示されたパンツ形状の吸収製品を形成するためにどのように折りたたまれたかを示すために使用される。弾性部分１は製品の後区域８及び側区域９，１０を形成するために矢印Ａに従って折りたたまれ、一方第二部分は製品の前区域１１及び股区域１２を形成するために矢印Ｂに従って上方に折りたたまれる。
【００３９】
第一部分の一つの端区域１３は第二部分の第一側縁区域１４に少し重なるように配置して適用され、第一部分の他の端区域１５は対応するように第二部分の第二側縁区域１６に少し重なるように配置して適用されている。これらの重なる部分は例えば接着剤、熱結合又は超音波結合によって相互接続される。あるいは前区域及び股区域は前述の重なる部分１３，１４及び１５，１６のそれぞれに沿って脱着自在に適用されることができる。この種の脱着可能な接続は例えばフック部材（図示せず）によって構成されることができ、それによってパンツ状製品は開放され、続いて同じ適合性及び緊張度で再び閉じることができる。
【００４０】
液体透過性層３上に、吸収体の狭い端区域において、液体バリヤー１７が適用される。図１及び２に示された図示例では、これは吸収体の低くて狭い端区域の外形に従うように配置され、前記外形の内側にその全体を配置される。液体バリヤー１７は使用者によって放出された尿が吸収体の表面から股区域１２の方へ漏出するのを防止するように配置される。
【００４１】
上述のように、吸収体は例えば所望により高吸収材料を混合されるセルロース毛羽から形成されることができる。液体バリヤーは成形体によって構成されることができ、それはセルロース毛羽の如きエアレイ繊維から形成される。図１及び２に示されているように、この成形体は吸収体の狭い端区域の外形に従うようにその表面の上に適用されることが好ましい。液体バリヤーは吸収体の外側に適用されることもでき、この場合において吸収体の外形に直接隣接して適用されることが好ましい。
【００４２】
液体バリヤーは続く記載から明らかなように多くの様々な方法で構成されることができる。液体バリヤーは少なくとも製品使用中及び少なくとも横方向の吸収体の中央の近くに少なくとも５ｍｍ、好ましくは１０−２０ｍｍの高さを有することが好ましいことが証明された。製品が意図したように作用するために、液体バリヤーは製品使用中使用者の陰茎の下にあるように位置されることが必要である。液体バリヤーはまた、カーブし、股区域１２の方向において凸状でなければならない。液体バリヤーが少なくとも５ｍｍの必要高さを有し、かつ股区域の方向に凸状にカーブされることは、パッドが漏出に対して極めて安全であり、液体が上方にカーブした区域を持つ液体バリヤーが効果的なバリヤーを構成する横方向において又は股区域の方向において液体バリヤー１７を通過することを防止されることを意味する。
【００４３】
図１及び２による例では、パンツ状製品は股区域において予め緊張された脚弾性体２２，２３を与えられる。脚弾性体は製品使用中、吸収体の両側上で外部層及び内部層によって形成された側部フラップを股領域において使用者の脚に対して接触支持するようにもたらされることを意図される。
【００４４】
図３及び４では、パンツ状製品の別の例が示されている。吸収体５及び液体バリヤー１７は図１及び２と関連して上述したのと同じように構成される。図３からわかるように、外部層４と内部層３によって形成された吸収体のための被覆は砂時計のように造形され、前区域３０、後区域３１及び股区域３２を有する。前区域における被覆の側区域は図４によるパンツを形成するために後区域上の対向する側区域に従来の方法で接続される。パンツの被覆は適用されたパンツを使用者上の適所に保持するためにウエスト弾性体（図示せず）を、そして股領域における使用者の脚に対する被覆の心地良い締め付けのために脚弾性体（図示せず）を与えられる。
【００４５】
液体バリヤー１７は吸収体とともにエアレイされた毛羽から形成され、被覆内に適用されることができる。液体バリヤー及び吸収体はまた、所望により高吸収材料を混合した注型フォーム材料からワンピースで構成されることができる。もちろん、圧力負荷下であっても極めて高い吸収性及び高い保持能力を有するフォーム材料を選択することも選択肢でありうる。もし液体バリヤーが直接液体バリヤー層を全く含まないなら、高い保持能力が重要である。
【００４６】
図３及び４によるパンツ状製品は吸収体でワンピースで構成される液体バリヤーを有する代わりに、内部層３の外側上に液体バリヤーを有することができる。このタイプの液体バリヤーは多数の図示例と関連して以下により詳細に記載されるだろう。
【００４７】
本発明による吸収製品は完全な使い捨てパンツの形である必要はないが、繰り返し使用のためにインサートに適合した、特別なパンツと組み合わせて又は通常の織物状パンツと組み合わせて使用されることができる別個のインサートによって構成されることができる。
【００４８】
かかるインサートの一例は図５に示される。インサートは液密外部層４及び液体透過性内部層３からなる、矩形の被覆に包囲された吸収体５を有する。相互作用するパンツへの脱着可能な接続のため液密層４の外側に一つ以上の固定部材（図示せず）が適用される。示された図示例では、被覆は吸収体の両側上に予め緊張された弾性体２２，２３を与えられる。液体バリヤー１７はＶ形状であり、吸収体５の外形に従うように適用される。
【００４９】
図６では、図５による例に対して少し変更された例が示される。基本的な違いは液体バリヤー１７がここでは少ない曲がりであり、吸収体５上のより高い位置に適用されることである。少ない曲がりとは、少し剛い液体バリヤーが表面材料、即ち内部層３に対してより容易に接続されうることを意味する。示された図示例では、液体バリヤー１７は材料ストリップによって構成されることができ、その材料ストリップはその基本的な形で平坦であり、少し剛く、しかもその下部外縁区域１７０に沿って表面材料に固定されるにすぎない。従って、液体バリヤーは製品使用中、縁区域１７０の固定がカーブした路に従うので、表面材料から持ち上がり、垂直な液体バリヤーを形成するだろう。液体バリヤー１７はここでは上の図示例におけるより高い位置に適用されて示されている。これの一つの理由は液体バリヤーが液体分散に対する効果的な保護を形成するために横方向にある範囲を持たなければならないことである。
【００５０】
図７では、図６による例に対して少し変更された図示例が示されている。ここでも、液体バリヤー１７は図１−５による例の液体バリヤーより少ない曲がりを有する。図７による例では、液体バリヤー１７は横方向にインサートの全範囲を横切って延び、それによって液体バリヤーの装着に関する製造工程を簡単にする。これはその下部外縁区域１７０に沿って内部層３に固定されるだけであり、その自由縁区域に沿って予め緊張された弾性糸１７２を与えられる。弾性糸１７２は液体バリヤーを持ち上げられた状態で保持することを意図される。図７に示された例では、もちろん外部層４が液密であることが重要である。
【００５１】
図８では、本発明による製品のための液体バリヤーの図示例が示されている。液体バリヤー１７は一つ以上のバンド形状材料から形成されたロールによって構成される。例えば、ロールは疎水性不織材料から形成されることができる。あるいは、ロールはプラスチックフィルムから形成されることができる。さらなる例は液密フィルムと不織材料の積層体である。ロールは、ロールが可撓性であり、かつ吸収体の狭い端の方向に所望の凸形状に曲げられ吸収体と関連して又は吸収体に適用されることができるタイプの材料からなって構成されることが好ましい。
【００５２】
図９ａ−ｄは本発明による製品のための液体バリヤーの図面例及び液体バリヤーがどのように作られるかを示す。図９ａは例えば疎水性不織材料または二つ以上の層の積層体からなる細長い材料片の形の基本材料を示す。材料片１７´は三重に折りたたまれて周囲に折り目を設けられることを意図され、示された図示例では縁区域９０を有し、その縁区域は材料片が折りたたまれた後、折りたたまれた材料片の外側に接続されることを意図される。図１の材料片は二つの縦方向弾性糸９１，９２を与えられ、それは図９ａに示されているように予め緊張された状態で一つの縁区域に沿って一つの弾性糸９１を、そして縁区域９０の直前に他の弾性糸９２を伴って適用される。材料片１７´はまず矢印Ａによって示されているように長手方向の折りたたみ線９３に沿って折りたたまれ、次いで矢印Ｂによって示されているように長手方向の折りたたみ線９４に沿って折りたたまれる。縁区域９０は次に折りたたまれた材料片の外側に接続される。折りたたまれた材料片１７´は図９ｂに示される。折りたたみ後、弾性糸９１，９２は対向する縁区域に沿って位置される。図９ｃに示されたＶ形状液体バリヤー１７の形成のため、図９ｂの材料片１７´は４５°の角度で中央で折りたたまれる。この角度はもちろんＶ形状液体バリヤーの腕の所望の傾きを得るために変化されることができる。
【００５３】
図９ｃによるＶ形状液体バリヤーはその長さの全体に沿ってその下部外縁区域１７０によって吸収製品の内部層に、好ましくは図５による例に示されているように吸収体の下部分の外形に沿って接続されることを意図される。吸収製品の内部層に接続される縁区域に位置される弾性区域は接続の結果として不活性になり、液体バリヤーの自由縁区域に沿った弾性区域だけが液体バリヤーを持ち上げるのに活性化しつづける。内部層３に接続される液体バリヤーのそれらの縁区域１７０は図９ｃにおいて太い線でマークされている。
【００５４】
あるいは、図９ｂによる材料ストリップ１７´は図９ｄに示されているようにＵ形状に折りたたまれることができる。折りたたみ角度αは図では４５°である。この角度はもしＵ形状の腕がより外側に傾く液体バリヤーが望ましいなら減少されることができる。Ｕ形状液体バリヤーは図では太い線でマークされた縁区域１７０に沿って接続されることを意図される。図９ｄにマークされた弾性糸９１，９２の部分だけが液体バリヤーを持ち上げるのに活性化されるだろう。他の区域は内部層３への接続の結果として無能にされる。
【００５５】
図１０では、例えば疎水性不織材料から作られた単一の細長い材料ストリップの形の液体バリヤーが示されており、それは本発明による製品の内部層３に適用される前に好適な形状に折りたたまれるか又は曲げられることを意図される。細長い材料ストリップはまた、液密フォーム材料によって構成されることができる。材料ストリップは予め緊張された長手方向の弾性糸１００を与えられることができ、それは液体バリヤーを持ち上げられた状態で保持することを意図される。もし細長いストリップの材料がある剛性を有し、材料ストリップが図において太い線でマークされた下部縁区域１７０に沿って固定されるなら、弾性糸１００はカーブした状態では不必要である。なぜならバリヤーがそれ自身の剛性によって第一に材料ストリップが固定された後に少し、第二に製品が全体として使用者への適用時に曲げられるときにさらに少し持ち上げられるからである。
【００５６】
図１１は平坦な形で切断されかつ例えばプラスチックフィルム、フォーム材料又は不織材料とプラスチックフィルムの積層体から作られたカーブした材料ストリップを示す。材料ストリップは図１１において太い線でマークされた縁区域１７０に沿って例えば図６に示されているように外部層３に接続されることを意図される。好ましくは、材料ストリップはストリップによって形成された液体バリヤーが製品が使用に供されて使用者に適用されるときに持ち上げられるような内部剛性を有する。
【００５７】
図１２は使用者の脚が彼の股区域において図１２の矢印の方向に吸収体上を押すとき、平坦な材料ストリップの形の液体バリヤー１７が使用位置でどのように作用するかを示す。液体バリヤー１７は持ち上げられ、使用者によって放出された尿が股領域中に漏出することを防止する。
【００５８】
図１３及び１４は図１及び２による例と極めて共通するパンツ状製製品を示す。図１及び２による例と同様の部分と同一又はそれに対応する構成要素は同じ参照符号を与えられる。図１３及び１４による例は前区域が少なくとも一つの弾性部材２０を与えられ、その弾性部材が製品使用中、前区域の中央領域における前区域の上部限界縁１９が使用者の陰茎の下に位置される位置に、前記弾性部材２０の作用とは逆に、製品の前区域１１を引き下げることができ、それと同時に前区域の二つの外側縁領域１４０における前区域の上部限界縁が使用者のウエストのまわりの適所に保持されるように配置される点で図１及び２に示された例とは異なる。吸収材料は一つ以上の変形領域１３０，１３１を伴って構成され、それは製品の前区域が引き下げられるときに製品使用中使用者の陰茎の上に位置される吸収体の部分を前区域の残りとともに引き下げることができる。製品の前区域及び吸収要素は弾性部材によってそれらの元の使用位置に戻るように配置される。
【００５９】
従来公知の男性用失禁パッドでは、使用者は実際には小便所を訪問することができなかった。男性は小便所のトイレ訪問と関連して失禁パッド全体を引き下げ、それによって彼の周囲の者に秘密の当惑する問題を表すことは当然考えられない。図１３及び１４に示された例によるパッドを用いると、この問題は除去される。図１４ではダッシュドット線１９は製品の前区域が小便所への訪問と関連して引き下げられる範囲を示すために使用されている。示された図示例では、変形領域１３０及び１３１は二つの折りたたみノッチによって構成される。製品の前区域１１が引き下げられるとき、吸収体５はまず変形領域１３０に沿って、次いで継続して引き下げられると変形領域１３１に沿って折りたたまれる。本発明の液体バリヤー特性は１７によって示される。
【００６０】
図１５では、図１３及び１４による例に対して少し変更された図示例が示される。図１３及び１４と同じ又は同様の部分に対応する構成要素は同じ参照符号を与えられる。図１４による図示例と比較すると、図１５によるパンツ状製品はより一般的なパンツカットを有する。基本的な違いはパンツの前区域１１の低いカットである。これは図では参照符号１５０でマークされている。１５０の前部のローカットは前区域の上部限界縁が使用者の陰茎の下の位置に引き下げられることを容易にする。前区域１１が小便所への訪問で使用者によって引き下げられるときにパンツの全体を引き下げる危険を減らすために、ウエスト区域２０は前部においてウエスト弾性体の後区域２０´より高い弾性延伸性を有することができる。
【００６１】
本発明は上述の図示例に限定されず、むしろ多数の変更が特許請求の範囲内で可能である。
【００６２】
上で示された図示例では、吸収体は本質的に三角形であり、製品の股区域の方向に先細にされている。股区域の方向に先細になる吸収体は使用者にとって心地良いが、前記方向に先細にならない矩形の吸収体も本発明の範囲内である。
【図面の簡単な説明】
【００６３】
【図１】本発明の第一例による吸収製品の展開した状態を平坦な形で概略的に示す。
【図２】第一例による組み立てられた製品を平坦な形で概略的に示す。
【図３】本発明の第二例による吸収製品の展開した状態を平坦な形で概略的に示す。
【図４】第二例による組み立てられた製品を平坦な形で概略的に示す。
【図５】本発明による製品の第三例を平坦な形で示す。
【図６】本発明による製品の第四例を平坦な形で示す。
【図７】本発明による製品の第五例を平坦な形で示す。
【図８】本発明による製品に含まれる液体バリヤーの図示例を概略的に示す。
【図９】別の図示例による液体バリヤーの様々な展開した状態を示す。
【図１０】本発明による製品の液体バリヤーの第三図示例を概略的に示す。
【図１１】本発明による製品の液体バリヤーの第四図示例を概略的に示す。
【図１２】使用状態の液体バリヤーのさらなる例を透視図で概略的に示す。
【図１３】本発明による製品のさらなる例の展開した状態を概略的に示す。
【図１４】図１３に示された例による組み立てられた製品を平坦な形で概略的に示す。
【図１５】本発明による製品の別の例を平坦な形で概略的に示す。
【図１】
2005534362.tif 000003
【図２】
2005534362.tif 000004
【図３】
2005534362.tif 000005
【図４】
2005534362.tif 000006
【図５】
2005534362.tif 000007
【図６】
2005534362.tif 000008
【図７】
2005534362.tif 000009
【図８】
2005534362.tif 000010
【図９】
2005534362.tif 000011
【図１０】
2005534362.tif 000012
【図１１】
2005534362.tif 000013
【図１２】
2005534362.tif 000014
【図１３】
2005534362.tif 000015
【図１４】
2005534362.tif 000016
【図１５】
2005534362.tif 000017
【手続補正書】
【提出日】平成16年7月6日(2004.7.6)
【手続補正１】
【補正対象書類名】明細書
【補正対象項目名】特許請求の範囲
【補正方法】変更
【補正の内容】
【特許請求の範囲】
【請求項１】
吸収体（５）を含む男性用吸収製品であって、その吸収体が好ましくは製品の前区域（１１）から製品の股区域（１２）の方へ一端に向かって先細になり、かつ使用中使用者から離れて面する吸収体の側上の液密層（４）及び吸収体（５）のそれとは反対側上の液体透過性層（３）からなる被覆に包囲され、それらの層の両方が吸収体を超えて吸収体のまわりに延び、かつそこで相互に接合され、吸収体（５）が製品使用中、製品の前記前区域（１１）から股区域（１２）の方向に延びるように配置され、かつその狭い端区域で使用者の陰茎の下にわずかに延びることを意図される吸収製品において、液体透過性層（３）上に、吸収体の狭い端区域において、液体バリヤー（１７）が適用され、前記液体バリヤーが、使用中、それが使用者の陰茎の下に位置されて股区域の方向に凸状になり、使用者によって放出された尿が吸収体（５）の表面から使用者の股領域の方へ漏出することを防止するように配置されることを特徴とする吸収製品。
【請求項２】
前記吸収製品がパンツと組み合わせて使用するために意図されたインサートによって構成されること、及びこの目的のために、製品が液密層（４）の外側上に一つ以上の固定部材を与えられ、その固定部材がパンツの内側の意図した場所に吸収製品を保持することを意図されることを特徴とする請求項１に記載の吸収製品。
【請求項３】
製品が全体として前区域（１１）、後区域（８）及び股区域（１２）を有するパンツ状形状を有し、前区域（１１）及び後区域（８）が使用者のウエストを包囲することを意図され、前及び／又は後区域がウエスト弾性体を与えられ、それが適用された製品を使用者上の適所に保持することを意図されることを特徴とする請求項１に記載の吸収製品。
【請求項４】
前区域（１１）が少なくとも一つの弾性部材（２０）を有し、その弾性部材（２０）が製品使用中、前区域の中央領域における前区域の上部限界縁（１９）が使用者の陰茎の下に位置される位置に、前記弾性部材（２０）の作用とは逆に、製品の前区域（１１）が引き下げられることができ、それと同時に前区域の二つの外側縁領域（１４０）における前区域の上部限界縁が使用者のウエストのまわりの適所に保持されるように配置されること、吸収体（５）が一つ以上の変形領域（１３０，１３１）を伴って構成され、その変形領域が製品使用中に使用者の陰茎の上に位置される吸収体の部分を製品の前区域（１１）が引き下げられるときに前区域の残りとともに引き下げることができること、及び製品の前区域及び吸収体（５）が弾性部材（２０）によってそれらの元の使用位置に戻るように配置されることを特徴とする請求項３に記載の吸収製品。
【請求項５】
前記ウエスト弾性体が弾性第一部分（１）から形成され、それが伸張状態において本質的に矩形であり、かつ使用者の胴を部分的に包囲してパンツ状製品の後区域（８）及び側区域（９，１０）を形成することを意図されること、製品に含まれる第二部分（２）がパンツ状製品の前区域（１１）及び股区域（１２）を形成するように構成されること、前記第二部分が二つの対向する端縁及び二つの対向する長手方向縁を伴って細長くされていること、第二部分（２）の幅が少なくとも股区域（１２）において第一部分（１）の長さより小さいこと、第二部分（２）の長手方向が第一部分（１）の長手方向に垂直に配置され、かつ第一端区域（６）によって第一部分の一つの長手方向縁区域（７）にこれの中央に接続されること、第一部分（１）の一つの端区域（１３）が第二部分の第一側縁区域（１４）に接続されること、及び第一部分の第二端区域（１５）が対応して第二部分（２）の第二側縁区域（１６）に接続され、吸収体（５）がその全体を第二部分上に適用されることを特徴とする請求項３又は４に記載の吸収製品。
【請求項６】
前記液体バリヤー（１７）が吸収体（５）の低い、狭い端区域の外形に従うように構成され、かつその全体を前記外形の内側に適用されることを特徴とする請求項１〜５のいずれかに記載の吸収製品。
【請求項７】
液体バリヤー（１７）が吸収体（５）の狭い端の近くで吸収体（５）に交差することを特徴とする請求項１〜５のいずれかに記載の吸収製品。
【請求項８】
液体バリヤー（１７）が吸収体（５）を超えて横方向に延び、かつ横方向において吸収製品の全体に及ぶことを特徴とする請求項７に記載の吸収製品。
【請求項９】
液体バリヤー（１７）が少なくとも製品使用中及び少なくとも横方向の吸収体（５）の中央の近くで少なくとも５ｍｍ、好ましくは１０−２０ｍｍの高さを有することを特徴とする請求項１〜８のいずれかに記載の吸収製品。
【請求項１０】
液体バリヤー（１７）が吸収製品の残りにその外側縁区域（１７０）に沿ってのみ固定されること、及び液体バリヤー（１７）の内側に位置される区域が製品使用中に液体透過性層（３）から持ち上げられるように配置されることを特徴とする請求項１〜９のいずれかに記載の吸収製品。
【請求項１１】
液体バリヤー（１７）が一つ以上のバンド形状材料から形成されたロールによって構成され、そのロールが曲げられて吸収体（５）の狭い端の方向に所望の凸状形状になることを特徴とする請求項１〜９のいずれかに記載の吸収製品。
【請求項１２】
液体バリヤー（１７）が一つ以上のバンド形状材料の多数の周囲折りたたみによって構成され、その液体バリヤーが前記折りたたみの形成後、折りたたみを形成する折りたたみ線（９３，９４）の方向に細長くされること、及び液体バリヤーが折りたたまれるか又は曲げられて所望の形状になることを特徴とする請求項１〜１０のいずれかに記載の吸収製品。
【請求項１３】
細長くされた液体バリヤー（１７）が長手方向に対して横方向の斜め線に沿って、例えば４５°の角度で中央において折りたたまれ、股区域に対してＶの先端を伴ってＶ形状液体バリヤーを形成することを特徴とする請求項１２に記載の吸収製品。
【請求項１４】
細長くされた液体バリヤー（１７）が適用された位置における液体バリヤーの下部限界縁から見ると鋭角（α）に沿って横方向の線に沿って二つの場所で折りたたまれ、股区域に対してＵの底部を有する本質的にＵ形状の液体バリヤーを形成し、前記鋭角が好ましくは４５°未満であることを特徴とする請求項１２に記載の吸収製品。
【請求項１５】
バンド形状材料が不織材料、好ましくは疎水性不織材料から、又は不織材料とプラスチックフィルムの積層体からなることを特徴とする請求項１１〜１４のいずれかに記載の吸収製品。
【請求項１６】
液体バリヤー（１７）が単一材料ストリップ、例えば疎水性不織材料によって構成され、それが適用される前に好適な形状に折りたたまれるか又は曲げられることを特徴とする請求項１０に記載の吸収製品。
【請求項１７】
液体バリヤー（１７）がその自由長手方向縁区域上で弾性糸（９１，９２，１００）の如き予め緊張された長手方向弾性要素を与えられ、その要素が製品使用中に液体バリヤーを持ち上げられた状態で保持することを意図されることを特徴とする請求項１２〜１６のいずれかに記載の吸収製品。
【請求項１８】
折りたたまれるか又は曲げられた状態で適用された液体バリヤー（１７）が製品使用中に前記折りたたまれるか又は曲げられた状態のそれ自身の内部剛性によってその自由長手方向縁区域を持ち上げられた状態で保持されるような大きさの内部剛性を有することを特徴とする請求項１２〜１６のいずれかに記載の吸収製品。
【請求項１９】
吸収体（５）が高吸収材料を混合されることができるセルロース毛羽から形成されること、及び液体バリヤー（１７）が成形物によって構成され、それがセルロース毛羽の如きエアレイ繊維から形成されること、及びこの成形物が吸収体（５）の狭い端区域の外形にこれの外側の上に又は直接に従うように適用されることを特徴とする請求項１〜９のいずれかに記載の吸収製品。
【請求項２０】
液体バリヤー（１７）が所望の形状に注型されるか又は折りたたまれたフォーム材料によって構成されることを特徴とする請求項１〜９のいずれかに記載の吸収製品。
【手続補正２】
【補正対象書類名】明細書
【補正対象項目名】０００９
【補正方法】変更
【補正の内容】
【０００９】
ＵＳ  ５４８６１６８による構成では、吸収体が意図したように弾性体と相互作用できる剛性を持つことが重要であり、それによって吸収体のための材料の選択を制限する。前述の特許公報によるデザインのさらなる欠点は吸収体の表面上の単位面積あたりの剛性の変化が吸収体から横方向に望ましくない折り目を生じ、それが次に製品から横方向に折り目に沿って尿漏出に導きうることである。別の欠点はＵＳ  ５４８６１６８による失禁パッドが圧縮された状態で包装することが難しいことである。なぜならば弾性体によって形成される三次元製品が包装取扱い時に又は包装保管時に破壊される危険性が高いからである。吸収体の弾性体からの緊張は外部の機械的影響と組み合わされて弾性体及び吸収体の両方が高い応力を受けることを生じる。ＵＳ  ５８１０７９９は液体透過性層上に適用されたバリヤー層を有するおむつを開示する。バリヤー層はおむつが装着されるときに陰茎の先端の上に位置される。ＵＳ  ５８１０７９９は幼児用おむつに関し、液体バリヤーは上方向に噴射される尿をブロックすることを意図される。幼児の陰茎の自然な傾斜は幼児がおむつを付けるときに幼児の頭の方に上向きを指すことである。
【手続補正３】
【補正対象書類名】明細書
【補正対象項目名】００１２
【補正方法】変更
【補正の内容】
【００１２】
本発明の結果として、冒頭に述べられたタイプの製品が製造され、それによって上述の問題が完全に除去された。この目的のために、本発明による製品は液体透過性層上に、吸収体の狭い端区域において、液体バリヤーが適用され、前記液体バリヤーが、使用中、それが使用者の陰茎の下に位置されて股区域の方向に凸状になり、使用者によって放出された尿が吸収体の表面から使用者の股区域の方へ漏出することを防止するように配置されることを主に特徴とする。
【手続補正４】
【補正対象書類名】明細書
【補正対象項目名】００２１
【補正方法】変更
【補正の内容】
【００２１】
別の例によれば、本発明は液体バリヤーが吸収体の狭い端の近くで吸収体に交差することを特徴とする。


【国際調査報告】
2005534362.tif 000018
2005534362.tif 000019
2005534362.tif 000020
2005534362.tif 000021